(57)【特許請求の範囲】
【請求項１】
油脂の劣化の程度を計測するプログラム及びパラメータを含む情報を有し、油脂の劣化の程度を計測する計測部と、
外部ネットワークを介してプログラムの少なくとも一部及びパラメータの少なくとも一部の少なくとも一方を含む情報を取得する取得部と、
前記取得部が取得した情報でプログラム又はパラメータを書き換える書換部とを備え、
前記計測部は、油脂の劣化の程度を判定する
計測装置。
【請求項２】
前記計測部は、油脂の劣化の程度を示す計測値の判定を行い、
前記プログラムは、前記判定に用いる判定アルゴリズムであり、
前記パラメータは、前記判定に用いる判定閾値である
請求項１に記載の計測装置。
【請求項３】
現在位置情報を取得する位置情報取得部と、
前記位置情報取得部によって取得された前記現在位置情報に基づいて油脂を特定する特定部とを備え、
前記書換部は、前記特定部が特定した油脂に合わせた情報に書き換える
請求項１又は２に記載の計測装置。
【請求項４】
撮影部と、
前記撮影部が撮影した油脂の識別情報に基づいて油脂を特定する特定部とを備え、
前記書換部は、前記特定部が特定した油脂に合わせた情報に書き換える
請求項１又は２に記載の計測装置。
【請求項５】
現在位置情報を取得する位置情報取得部を備える請求項１又は２に記載の計測装置と、
外部ネットワークを介して、前記位置情報取得部によって取得された位置情報に基づいて油脂を特定するサーバ側特定部を有するサーバとを備え、
前記書換部は、前記サーバ側特定部が特定した油脂に合わせた情報に書き換える
計測システム。
【請求項６】
撮影部を備える請求項１又は２に記載の計測装置と、
外部ネットワークを介して前記計測装置と接続され、前記撮影部が撮影した識別情報に基づいて油脂を特定するサーバ側特定部を有するサーバとを備え、
前記書換部は、前記サーバ側特定部が特定した油脂に合わせた情報に書き換える
計測システム。
【請求項７】
油脂の劣化の程度を示す計測値を送信する通信部を備える請求項１〜４のいずれか一項に記載の計測装置と、
外部ネットワークを介して前記計測装置と接続され、前記計測装置が計測した計測値を蓄積するデータベースとを備え、
前記通信部は、前記データベースに蓄積された計測値を取得して、ユーザが所持する端末に送信する
計測システム。
【請求項８】
油脂の劣化程度を示す計測値を送信する通信部を備える請求項１〜４のいずれか一項に記載の計測装置と、
外部ネットワークを介して前記計測装置と接続され、前記計測装置が計測した計測値を蓄積するデータベースと、
前記データベースと接続され、前記データベースに蓄積された計測値を分析して、分析した情報をユーザに提供するサーバとを備える
計測システム。
【発明の詳細な説明】
【技術分野】
【０００１】
本発明は、計測対象の状態を計測する計測装置及び計測システムに関する。
【背景技術】
【０００２】
従来、潤滑油等の計測対象の状態を検出する光学式センサシステムが知られている（例えば、特許文献１参照）。例えば、光学式センサシステムとしての劣化判定システムは、劣化検出システムと劣化判定装置とを備えている。劣化判定装置は、劣化検出システムから出力される検出信号である光強度を受信して劣化判定を行う。すなわち、劣化判定装置は、ＲＯＭ等の記憶装置に格納された劣化判定プログラムに基づき劣化判定処理を行う。また、劣化判定装置の記憶装置には、劣化判定に用いる劣化判定マップが格納されている。計測対象に合わせた専用の劣化判定マップが劣化判定装置の記憶装置に予め記憶されている。
【先行技術文献】
【特許文献】
【０００３】
【特許文献１】特開２０１５−１０９３４号公報
【発明の概要】
【発明が解決しようとする課題】
【０００４】
ところで、上記のような劣化判定システムでは、劣化判定マップと劣化判定プログラムとが劣化判定装置に予め記憶されているので、計測対象に対する判定及び評価をユーザが変更したいときには、劣化判定マップや劣化判定プログラムを書き換えなければならず、簡単に変更することができない。また、計測対象に専用の劣化判定マップが劣化判定装置に予め記憶されているので、同じ劣化判定システムを用いて異なる計測対象を計測することができない。なお、劣化判定に限らず、計測対象を計測する計測装置においては同様の課題が存在する。【０００５】
本発明は、こうした実情に鑑みてなされたものであり、その目的は、計測対象に合わせて調整または変更することのできる計測装置及び計測システムを提供することにある。
【課題を解決するための手段】
【０００６】
本発明の一側面は、計測対象の状態を計測するプログラム及びパラメータを含む情報を有する計測部と、外部ネットワークを介してプログラムの少なくとも一部及びパラメータの少なくとも一部の少なくとも一方を含む情報を取得する取得部と、前記取得部が取得した情報でプログラム又はパラメータを書き換える書換部とを備える計測装置を提供する。【０００７】
上記構成によれば、計測装置は、外部ネットワークを介して取得した情報によって、計測対象の状態を計測するプログラム又はパラメータを書き換えることができる。このため、計測対象に合わせた、計測対象の状態を検出するためのプログラム又はパラメータに書き換えることで、計測対象に合わせて計測装置を調整または変更することができる。【０００８】
いくつかの好ましい例では、前記計測部は、計測対象の状態の計測値の判定を行い、前記プログラムは、前記判定に用いる判定アルゴリズムであり、前記パラメータは、前記判定に用いる判定閾値である。【０００９】
上記構成によれば、計測対象の状態の計測値を判定する際に用いる判定アルゴリズム及び判定閾値を書き換えることができる。このため、計測対象を判定する際に、ユーザは、判定に用いるための判定アルゴリズム及び判定閾値を書き換えて、計測装置を調整または変更することができる。【００１０】
いくつかの好ましい例では、計測装置は、現在位置情報を取得する位置情報取得部と、前記位置情報取得部によって取得された現在位置情報に基づいて計測対象を特定する特定部とを備え、前記書換部は、前記特定部が特定した計測対象に合わせた情報に書き換える。【００１１】
上記構成によれば、計測装置の位置を位置情報取得部によって特定することができるので、計測装置の位置と同じ位置にある計測対象を特定することができる。そして、特定した計測対象に合わせた情報に書き換えることができる。このため、特定した計測対象に合わせて計測装置を調整または変更することができる。【００１２】
いくつかの好ましい例では、計測装置は、撮影部と、前記撮影部が撮影した計測対象の識別情報に基づいて計測対象を特定する特定部とを備え、前記書換部は、前記特定部が特定した計測対象に合わせた情報に書き換える。【００１３】
上記構成によれば、撮影部が撮影した識別情報に基づいて計測対象を特定することができる。そして、特定した計測対象に合わせた情報に書き換えることができる。このため、特定した計測対象に合わせて計測装置を調整または変更することができる。【００１４】
本発明の別の側面は、現在位置情報を取得する位置情報取得部を備える上記計測装置と、外部ネットワークを介して前記位置情報取得部によって取得された位置情報に基づいて計測対象を特定するサーバ側特定部を有するサーバとを備え、前記書換部は、前記サーバ側特定部が特定した計測対象に合わせた情報に書き換える、計測システムを提供する。【００１５】
上記構成によれば、計測装置の位置を位置情報取得部によって特定することができるので、計測装置の位置と同じ位置にある計測対象をサーバ側特定部によって特定することができ、計測装置における処理を軽減することができる。そして、特定した計測対象に合わせた情報に書き換えることができる。このため、特定した計測対象に合わせて計測装置を調整または変更することができる。【００１６】
本発明の更に別の側面は、撮影部を備える上記計測装置と、外部ネットワークを介して前記計測装置と接続され、前記撮影部が撮影した識別情報に基づいて計測対象を特定するサーバ側特定部を有するサーバとを備え、前記書換部は、前記サーバ側特定部が特定した計測対象に合わせた情報に書き換える、計測システムを提供する。【００１７】
上記構成によれば、撮影部が撮影した識別情報に基づいて計測対象をサーバ側特定部によって特定することができ、計測装置における処理を軽減することができる。そして、特定した計測対象に合わせた情報に書き換えることができる。このため、特定した計測対象に合わせて計測装置を調整または変更することができる。【００１８】
本発明の更に別の側面は、計測対象の状態の計測値を送信する通信部を備える上記計測装置と、外部ネットワークを介して前記計測装置と接続され、前記計測装置が計測した計測値を蓄積するデータベースとを備え、前記通信部は、前記データベースに蓄積された計測値を取得して、ユーザが所持する端末に送信する、計測システムを提供する。【００１９】
上記構成によれば、計測装置が計測した計測値が外部ネットワークを介して接続されたデータベースに蓄積される。そして、外部ネットワークを介して計測装置が計測値を取得して、データベースに蓄積された計測値がユーザの端末に送信される。このため、ユーザは端末を確認することで計測値の変化等を把握することができるようになる。【００２０】
本発明の更に別の側面は、計測値を送信する通信部を備える上記計測装置と、外部ネットワークを介して前記計測装置と接続され、前記計測装置が計測した計測値を蓄積するデータベースと、前記データベースと接続され、前記データベースに蓄積された計測値を分析して、分析した情報をユーザに提供するサーバとを備える、計測システムを提供する。【００２１】
上記構成によれば、計測装置が計測した計測値が外部ネットワークを介して接続されたデータベースに蓄積される。そして、データベースに蓄積された計測値をサーバが分析して、分析した情報がユーザに提供される。このため、ユーザはサーバから提供された分析した情報を確認することで計測値の変化等を把握することができるようになる。
【発明の効果】
【００２２】
本発明のいくつかの側面によれば、計測対象に合わせて調整または変更することができる計測装置が得られる。本発明の他の側面及び利点は本発明の技術的思想の例を示している図面と共に以下の記載から明らかとなる。
【図面の簡単な説明】
【００２３】
【図１】第１の実施形態に係る計測装置及び計測システムのブロック図。
【図２】第２の実施形態に係る計測装置及び計測システムのブロック図。
【図３】第２の実施形態の計測装置のアプリケーションの機能を示すブロック図。
【図４】第２の実施形態の計測装置の動作を示すシーケンスチャート。
【図５】第２の実施形態の計測装置による計測対象の状態を表示するステータスバーを示す図。
【図６】第２の実施形態の計測システムの動作を示すシーケンスチャート。
【図７】第２の実施形態の計測装置の動作を示すシーケンスチャート。
【図８】第３の実施形態に係る計測装置のブロック図。
【図９】第４の実施形態に係る計測装置のブロック図。
【図１０】第５の実施形態に係る計測システムのブロック図。
【図１１】第６の実施形態に係る計測システムのブロック図。
【図１２】第７の実施形態に係る計測装置のブロック図。
【図１３】第８の実施形態に係る計測システムのブロック図。
【発明を実施するための形態】
【００２４】
（第１の実施形態）
以下、図１を参照して、第１の実施形態に係る計測装置及び計測システムについて説明する。本実施形態では、計測対象が例えば建設機械等の機械であり、計測装置は、当該機械に用いられる潤滑油が劣化しているかどうか、または、劣化の程度を計測対象の状態として計測する。
【００２５】
図１に示すように、計測システムは、計測対象の状態を計測する計測装置１０と、公衆通信網等の外部ネットワークＮＷに接続することで、計測装置１０と接続するデータベースサーバ５０とを備えている。データベースサーバ５０は、データベース５１を備えている。データベースサーバ５０には、複数の計測装置１０が外部ネットワークＮＷを介して接続される。
【００２６】
計測装置１０は、センサ１１と、センサ１１に接続された制御部１２と、外部ネットワークＮＷと接続する通信部１３とを備えている。センサ１１は、計測対象の状態を検出し、計測対象の状態に応じたセンサ信号を制御部１２に出力する。センサ１１は、潤滑油の外観に応じたセンサ信号を出力する光学式センサであってよく、例えば、潤滑油の色に応じたセンサ信号を出力するように構成され得る。通信部１３は、例えば公衆通信網として携帯電話回線網に接続する無線通信規格に適合した無線通信回路を含むことができる。
【００２７】
制御部１２は、計測対象の状態を計測する計測部２１を備えている。計測部２１は、センサ１１から受信したセンサ信号を計測値に変換し、この計測値を判定し、計測値及び判定結果を含む計測情報を出力する。制御部１２は、記憶部としてのメモリ２４を備えている。制御部１２は、メモリ２４に記憶されたプログラム及びパラメータに基づいて演算することにより制御を行うことができる。計測部２１は、メモリ２４に記憶された計測対象の状態を計測するための計測プログラムによって計測を行い、プログラムとしての判定アルゴリズムとパラメータとしての判定閾値とによって判定を行う。メモリ２４には、判定アルゴリズムと、判定閾値とが記憶されている。また、計測部２１は、計測情報をメモリ２４に記憶させる。
【００２８】
計測装置１０は、計測対象に合わせて計測装置１０を調整または変更することができるようになっている。すなわち、制御部１２は、プログラムの一部及びパラメータの一部の少なくとも一方を含む情報を取得する取得部２２を備えている。取得部２２は、通信部１３から外部ネットワークＮＷを介して情報を取得する。制御部１２は、取得部２２が取得した情報でプログラム又はパラメータを書き換える書換部２３を備えている。計測装置１０は、ユーザが計測装置１０を操作できるように、ユーザインターフェースを含むことができる。
【００２９】
外部ネットワークＮＷを介して接続されるデータベースサーバ５０には、計測対象毎に異なる判定アルゴリズム、及び計測対象毎に異なるかまたは計測対象に応じて変更可能な判定閾値が格納されている。データベースサーバ５０は、計測装置１０に対して計測対象の判定アルゴリズム及び判定閾値を提供する。データベースサーバ５０は、センサ１１に対応する複数の判定アルゴリズム、及び判定閾値を計測装置１０に外部ネットワークＮＷを介して提供する。なお、データベースサーバ５０は、判定アルゴリズムの一部又は判定閾値の一部を計測装置１０に提供してもよい。計測装置１０は、データベースサーバ５０から提供された判定アルゴリズム及び判定閾値をメモリ２４に格納する。計測装置１０がデータベースサーバ５０から受信した情報は、変更用または追加用デジタルデータと呼ぶことがある。
【００３０】
次に、上記のように構成された計測装置１０及び計測システムの動作について説明する。
まず、データベースサーバ５０は、外部ネットワークＮＷを介して計測装置１０に対して、計測装置１０において使用可能な複数の判定アルゴリズム及び判定閾値を含む情報を一方的に、すなわち計測装置１０からの要求を受けずに、送信する。計測装置１０は、外部ネットワークＮＷを介してデータベースサーバ５０から送信された情報を受信する。計測装置１０の取得部２２は、受信した判定アルゴリズム及び判定閾値を含む情報を取得し、当該情報をメモリ２４に記憶させる。よって、計測装置１０のメモリ２４には、複数の判定アルゴリズム及び判定閾値が格納された状態となる。なお、計測部２１は、計測プログラム、判定アルゴリズム、及び判定閾値が予め設定されており、設定された計測プログラムによって計測を行い、判定アルゴリズム及び判定閾値によって判定を行う。
【００３１】
例えば、計測対象の機械に使用される潤滑油が新しい種類の潤滑油に交換されたとき、ユーザが計測装置１０を操作して、新しい種類の潤滑油を指定して書き換えを要求する。計測装置１０の書換部２３は、取得部２２がメモリ２４に記憶させた情報で、予め設定された情報を書き換える。すなわち、書換部２３は、計測装置１０を使用するユーザの求めに応じて情報を書き換える。例えば、計測対象の機械に使用される潤滑油が新しい種類の潤滑油に交換されたときには、計測プログラムを書き換えたり、計測装置１０の取得部２２によって取得された新しい種類の潤滑油用の判定アルゴリズムを書き換えたりすることで、計測対象に合わせた計測及び判定を行えるようにする。また、潤滑油の判定基準が変更になったときには、判定閾値を書き換えることで変更後の判定基準に合わせることができるようになる。
【００３２】
このように、各計測装置１０は、外部ネットワークＮＷを介して外部の情報を取得することで内部の情報を書き換えることができるので、計測対象に合わせた計測を行うことができる。例えば、ユーザは計測装置１０を計測対象に合わせてオンサイトで調整または変更することができる。
【００３３】
以上説明したように、第１実施形態によれば、以下の効果を奏することができる。
（１）制御部１２は、外部ネットワークＮＷを介して取得した情報によって、計測対象の状態を計測するプログラムとしての判定アルゴリズム、又は計測対象の状態を計測するためのパラメータとしての判定閾値を書き換えることができる。このため、計測対象に合わせた、計測対象の状態を計測するための判定アルゴリズム又は判定閾値に書き換えることで、計測対象に合わせて計測装置１０を調整または変更することができる。
【００３４】
（２）制御部１２は、計測対象の状態の計測値を判定するための判定アルゴリズムの少なくとも一部及び判定閾値の少なくとも一部の少なくとも一方を書き換えることができる。このため、計測対象を判定する際に、ユーザが判定に用いるための閾値や判定アルゴリズムを書き換えて、計測装置１０を調整または変更することができる。
【００３５】
（第２の実施形態）
以下、図２〜図７を参照して、第２の実施形態に係る計測装置及び計測システムについて説明する。第２の実施形態の計測装置が分離可能な個別装置であるセンサ端末と携帯端末とを備えている点で第１の実施形態と異なっている。以下、第１の実施形態との相違点を中心に説明する。
【００３６】
図２に示されるように、計測装置１００は、センサ１１１を有するセンサ端末１１０と、携帯端末１３０とを備えている。センサ端末１１０と携帯端末１３０とは、例えばＢｌｕｅｔｏｏｔｈ（登録商標）等の近距離無線通信規格に従って例えばピアツーピアで通信する。
【００３７】
センサ端末１１０は、センサ１１１と、センサ１１１を制御するＭＣＵ（Ｍｉｃｒｏ  Ｃｏｎｔｒｏｌ  Ｕｎｉｔ）１１２と、Ｂｌｕｅｔｏｏｔｈ通信部１１３とを備えている。センサ１１１、ＭＣＵ１１２、及びＢｌｕｅｔｏｏｔｈ通信部１１３には、電池１１４が接続され、電池１１４から電源が供給されている。センサ１１１は、計測対象の状態を検出し、計測対象の状態に応じたセンサ信号をＭＣＵ１１２に出力する。センサ１１１とＭＣＵ１１２との間には、アナログ−デジタル変換回路（Ａ／Ｄ）１１５が設けられている。Ｂｌｕｅｔｏｏｔｈ通信部１１３は、Ｂｌｕｅｔｏｏｔｈ通信規格に従って携帯端末１３０と通信を行う。
【００３８】
ＭＣＵ１１２は、計測対象の状態を計測する計測部１２１を備えている。計測部１２１は、センサ１１１から受信したセンサ信号を計測値に変換し、この計測値を判定し、計測値及び判定結果を出力する。ＭＣＵ１１２は、記憶部としてのメモリ１２４を備えている。ＭＣＵ１１２は、メモリ１２４に記憶されたプログラム及びパラメータに基づいて演算することにより制御を行うことができる。計測部１２１は、メモリ１２４に記憶された計測対象の状態を計測するためのプログラムによって計測を行い、パラメータによって判定を行う。メモリ１２４には、パラメータとして判定アルゴリズム及び判定閾値が記憶されている。また、計測部１２１は、計測値及び判定結果をメモリ１２４に記憶させる。ＭＣＵ１１２は、Ｂｌｕｅｔｏｏｔｈ通信部１１３を介して計測値及び判定結果を携帯端末１３０に送信する。
【００３９】
携帯端末１３０は、携帯端末１３０を制御する制御部１３１と、タッチパネル（タッチスクリーンともいう）１３３と、携帯電話通信部１３４と、Ｂｌｕｅｔｏｏｔｈ通信部１３５とを備えている。制御部１３１、携帯電話通信部１３４、及びＢｌｕｅｔｏｏｔｈ通信部１３５には、電池１３６が接続され、電池１３６から電源が供給されている。タッチパネル１３３は、ユーザインターフェースの一例であり、情報を表示するとともに、ユーザの操作を検出する。携帯電話通信部１３４は、携帯電話通信網に接続して、外部ネットワークＮＷを介して情報の送信及び受信が可能であり、無線通信回路の一例である。Ｂｌｕｅｔｏｏｔｈ通信部１３５は、Ｂｌｕｅｔｏｏｔｈ通信規格に従って、例えばピアツーピアで、センサ端末１１０と通信を行う。
【００４０】
計測システムは、上記計測装置１００と、データベースサーバ１５０とを備えている。データベースサーバ１５０は、データベース１５１を備えている。携帯端末１３０は、公衆通信網等の外部ネットワークＮＷを介してデータベースサーバ１５０と接続することができる。データベース１５１には、計測装置１００によって計測された計測値及び判定結果が記憶される。そして、データベースサーバ１５０は、蓄積された計測値をユーザの携帯端末１３０に送信する。よって、携帯端末１３０は、計測値の変化等をユーザに提供することができる。
【００４１】
計測装置１００は、計測対象に合わせて計測装置１００を調整または変更することができるようになっている。すなわち、センサ端末１１０のＭＣＵ１１２は、プログラムの一部及びパラメータの一部の少なくとも一方を含む情報を取得する取得部１２２を備えている。取得部１２２は、Ｂｌｕｅｔｏｏｔｈ通信部１１３から携帯端末１３０及び外部ネットワークＮＷを介して情報を取得する。センサ端末１１０のＭＣＵ１１２は、取得部１２２が取得した情報でプログラム又はパラメータを書き換える書換部１２３を備えている。
【００４２】
図３に示すように、制御部１３１は、計測対象の計測に用いるアプリケーションソフトウェアとして計測アプリ１４０を有している。ユーザがタッチパネル１３３を操作して計測アプリ１４０を作動させると、制御部１３１は、計測情報取得部１４１、計測情報表示部１４２、計測情報記憶部１４３、書換指示部１４４、判定情報取得部１４５、判定情報提供部１４６として機能する。
【００４３】
計測情報取得部１４１は、センサ端末１１０から提供された計測値及び判定結果を含む計測情報を取得する。計測情報表示部１４２は、計測情報取得部１４１が取得した計測情報をタッチパネル１３３に表示させる。計測情報記憶部１４３は、計測情報取得部１４１が取得した計測情報をメモリ１３２に記憶させる。書換指示部１４４は、センサ端末１１０に対して書き換えを行うよう指示する。判定情報取得部１４５は、外部ネットワークＮＷを介してデータベースサーバ１５０から提供される判定情報である判定アルゴリズム及び判定閾値を取得する。判定情報提供部１４６は、判定情報取得部１４５が取得した判定情報をＢｌｕｅｔｏｏｔｈ通信部１３５からセンサ端末１１０に提供する。
【００４４】
また、図２に示すように、外部ネットワークＮＷを介して接続されるデータベースサーバ１５０には、計測対象毎に異なる判定アルゴリズム、及び計測対象毎に異なるかまたは計測対象に応じて変更可能な判定閾値が格納されている。データベースサーバ１５０は、計測装置１００に対して計測対象の判定アルゴリズム及び判定閾値を提供する。データベースサーバ１５０は、センサ１１１に対応する複数の判定アルゴリズム及び判定閾値を計測装置１００に外部ネットワークＮＷを介して各計測装置１００に提供する。なお、データベースサーバ１５０は、判定アルゴリズムの一部又は判定閾値の一部を計測装置１００に提供してもよい。計測装置１００のセンサ端末１１０は、データベースサーバ１５０から提供された判定アルゴリズム及び判定閾値をメモリ１２４に格納する。
【００４５】
次に、図４〜図７を参照して、上記のように構成された計測装置１００及び計測システムの動作について説明する。
まず、計測装置１００が計測対象の状態を計測するときの動作について説明する。
【００４６】
図４に示すように、ユーザが携帯端末１３０を操作して計測アプリ１４０を作動させ、計測の開始を指示または選択すると、計測リクエスト信号がＢｌｕｅｔｏｏｔｈ通信部１３５，１１３を介してセンサ端末１１０に送信される（ステップＳ１）。
【００４７】
続いて、センサ端末１１０は、計測リクエスト信号をＢｌｕｅｔｏｏｔｈ通信部１３５，１１３を介して受信すると、センサ１１１の電源をオン状態にして、センサ１１１によって計測対象の状態を計測する（ステップＳ２）。センサ１１１は、計測対象の状態に応じたセンサ信号を計測部１２１に出力する。
【００４８】
続いて、計測部１２１は、受信したセンサ信号を計測値に変換し、この計測値を判定し、計測値及び判定結果を含む計測情報をＢｌｕｅｔｏｏｔｈ通信部１１３，１３５を介して携帯端末１３０に送信する（ステップＳ３）。
【００４９】
続いて、携帯端末１３０は、センサ端末１１０から送信された計測情報を、計測アプリ１４０の計測情報取得部１４１によって取得する（ステップＳ４）。そして、携帯端末１３０は、取得した計測情報を計測アプリ１４０の計測情報表示部１４２によってタッチパネル１３３に表示する（ステップＳ５）。また、携帯端末１３０は、取得した計測情報を計測アプリ１４０の計測情報記憶部１４３によってメモリ１３２に記憶する（ステップＳ６）。
【００５０】
図５に示すように、携帯端末１３０のタッチパネル１３３には、例えば油の劣化程度を示すステータスバーＳＢが表示される。このステータスバーＳＢは、左端が新油の状態を示し、左端から右側に離れるほど古い油である。そして、上方に位置する下向きの矢印の位置が現在の油の劣化程度を示している。
【００５１】
次に、計測装置１００が判定情報を書き換えるときの動作について説明する。
図６に示すように、ユーザが携帯端末１３０を操作して、判定情報の書き換えを指示または選択すると、書換リクエスト信号が計測アプリ１４０の書換指示部１４４によって外部ネットワークＮＷを介してデータベースサーバ１５０に送信される（ステップＳ１１）。このとき、センサ端末１１０のセンサ１１１の種類を特定する特定情報を書換指示に付加することが望ましい。このようにすることで、携帯端末１３０はセンサ１１１に対応した判定情報のみをデータベースサーバ１５０から取得できる。
【００５２】
続いて、データベースサーバ１５０は、データベース１５１から判定情報を読み出して、外部ネットワークＮＷを介して携帯端末１３０に送信する（ステップＳ１２）。このとき、センサ１１１の特定情報が書換指示に付加されていれば、センサ１１１に対応した判定情報のみが送信される。
【００５３】
続いて、携帯端末１３０は、データベースサーバ１５０から送信された判定情報を、計測アプリ１４０の判定情報取得部１４５によって取得する（ステップＳ１３）。そして、携帯端末１３０は、計測アプリ１４０の判定情報取得部１４５が取得した判定情報を計測アプリ１４０の判定情報提供部１４６によってセンサ端末１１０に送信する（ステップＳ１４）。
【００５４】
続いて、センサ端末１１０は、携帯端末１３０から判定情報を受信すると、ＭＣＵ１１２の取得部１２２によって判定情報を取得する（ステップＳ１５）。センサ端末１１０は、取得した判定情報をメモリ１２４に記憶する。
【００５５】
続いて、センサ端末１１０は、取得した判定情報をメモリ１２４から読み出して、予め設定されている判定情報と書き換える（ステップＳ１６）。すなわち、センサ端末１１０の書換部１２３は、携帯端末１３０に対するユーザの操作によって変更したい判定情報を書き換える。
【００５６】
次に、計測装置１００が判定情報を書き換えるときの動作について説明する。ここでは、携帯端末１３０がデータベースサーバ１５０から予め判定情報を取得している。
図７に示すように、ユーザが携帯端末１３０を操作して判定情報の書き換えを指示または選択すると、判定情報が携帯端末１３０に既にあるときには、書換リクエスト信号を計測アプリ１４０の書換指示部１４４によって書換指示がセンサ端末１１０に送信する（ステップＳ２１）。続いて、携帯端末１３０は、既に取得した判定情報を計測アプリ１４０の判定情報提供部１４６によってセンサ端末１１０に送信する（ステップＳ２２）。
【００５７】
続いて、センサ端末１１０は、携帯端末１３０から判定情報を受信すると、ＭＣＵ１１２の取得部１２２によって判定情報を取得する（ステップＳ２３）。センサ端末１１０は、取得した判定情報をメモリ１２４に記憶する。
【００５８】
続いて、センサ端末１１０は、取得した判定情報をメモリ１２４から読み出して、予め設定されている判定情報と書き換える（ステップＳ２４）。すなわち、センサ端末１１０の書換部１２３は、携帯端末１３０に対するユーザの操作によって変更したい判定情報を書き換える。
【００５９】
このように、計測装置１００は、外部ネットワークＮＷを介してデータベースサーバ１５０から判定情報を取得することでセンサ端末１１０の判定情報を書き換えることができるので、計測対象に合わせた計測を行うことができる。
【００６０】
以上説明したように、第２実施形態によれば、第１の実施形態の効果に加え、以下の効果を奏することができる。
（３）計測装置１００が計測した計測値が外部ネットワークＮＷを介して接続されたデータベースサーバ１５０に蓄積される。そして、外部ネットワークＮＷを介して計測装置１００が計測値を取得して、データベースサーバ１５０に蓄積された計測値がユーザの携帯端末１３０に送信される。このため、ユーザは携帯端末１３０を確認することで計測値の変化等を把握することができるようになる。
【００６１】
（第３の実施形態）
以下、図８を参照して、第３の実施形態に係る計測装置及び計測システムについて説明する。第３の実施形態の計測装置及び計測システムは、位置に基づいて計測対象を特定する点で第１の実施形態と異なっている。以下、第１の実施形態との相違点を中心に説明する。
【００６２】
図８に示すように、計測装置１００の携帯端末１３０は、携帯端末１３０の位置を測定するＧＰＳ（Ｇｌｏｂａｌ  Ｐｏｓｉｔｉｏｎｉｎｇ  Ｓｙｓｔｅｍ）受信機１３７を備えている。ＧＰＳ受信機１３７が位置情報取得部に相当する。計測アプリ１４０を作動させると、制御部１３１が第２の実施形態の各機能部に加えて、計測対象を特定する特定部１４７としても機能する。また、制御部１３１のメモリ１３２には、計測対象リストが記憶されている。計測対象リストは、位置と、計測対象である機械とが対になった情報である。計測対象リストの機械の情報には、その機械に使われている潤滑油の情報も紐付いている。
【００６３】
計測対象である機械に使用されている潤滑油が不明であるときに、計測アプリ１４０において計測対象を特定する特定処理を実行する。特定処理が実行されると、特定部１４７は、ＧＰＳ受信機１３７から位置情報を取得して、メモリ１３２に記憶された計測対象リストに基づいて、取得した位置に存在する機械及びその機械に使われている潤滑油を特定する。
【００６４】
このように、携帯端末１３０の特定部１４７が機械及び潤滑油を特定することで、センサ端末１１０の計測部１２１は、潤滑油に合った判定アルゴリズムを使用して、また機械及び潤滑油に合った判定閾値によって判定することができる。
【００６５】
以上説明したように、第３の実施形態によれば、第１の実施形態の効果に加え、以下の効果を奏することができる。
（４）計測装置１００の位置をＧＰＳ受信機１３７によって特定することができるので、計測装置１００の位置と同じ位置にある計測対象を特定することができる。そして、特定した計測対象に合わせた情報に書き換えることができる。このため、特定した計測対象に合わせて計測装置１００を調整または変更することができる。
【００６６】
（第４の実施形態）
以下、図９を参照して、第４の実施形態に係る計測装置及び計測システムについて説明する。第４の実施形態の計測装置及び計測システムは、画像データに基づいて計測対象を特定する点で第１の実施形態と異なっている。以下、第１の実施形態との相違点を中心に説明する。
【００６７】
図９に示されるように、計測装置１００の携帯端末１３０は、撮影部としてのカメラ１３８を備えている。計測アプリ１４０を作動させると、制御部１３１は、第２の実施形態の各機能部に加えて、計測対象を特定する特定部１４７としても機能する。また、制御部１３１は、特定部１４７の処理に伴って、カメラ１３８が撮影した画像データに対して、計測対象を特定可能とするための画像処理を行う画像処理部１４８としても機能する。制御部１３１のメモリ１３２には、計測対象リストが記憶されている。計測対象リストは、画像データと、計測対象である機械とが対になった情報である。計測対象リストの機械の情報には、その機械に使われている潤滑油の情報も紐付いている。
【００６８】
ここで、上記の画像データは、計測対象である機械そのものの外観を撮影した画像データである。画像処理部１４８は、機械の外観を撮影した画像データから機械の外形情報を取り出して、特定部１４７に出力する。すなわち、特定部１４７は、機械の外形情報とメモリ１３２の計測対象リストとを照合して、機械を特定するとともに、その機械に使用されている潤滑油を特定する。なお、機械の外形情報が識別情報に相当する。
【００６９】
また、上記の画像データは、計測対象である機械の名板を撮影した画像データである。画像処理部１４８は、機械の名板を撮影した画像データから機械の名板情報を取り出して、特定部１４７に出力する。すなわち、特定部１４７は、機械の名板情報とメモリ１３２の計測対象リストとを照合して、機械を特定するとともに、その機械に使用されている潤滑油を特定する。なお、機械の名板情報が識別情報に相当する。
【００７０】
また、上記の画像データは、計測対象である機械に付されたＱＲコード（登録商標）等の識別子を撮影した画像データである。画像処理部１４８は、ＱＲコード等の識別子を撮影した画像データから機械を特定するための特定情報を読み出して、特定部１４７に出力する。すなわち、特定部１４７は、機械の特定情報によって機械を特定する。なお、特定部１４７は、計測対象リストからその機械に使用されている潤滑油を特定する。また、特定情報が識別情報に相当する。
【００７１】
このように、携帯端末１３０の特定部１４７が機械及び潤滑油を特定することで、センサ端末１１０の計測部１２１は、潤滑油に合った判定アルゴリズムによって計測することができ、また機械及び潤滑油に合った判定閾値によって判定することができる。
【００７２】
以上説明したように、第４の実施形態によれば、第１の実施形態の効果に加え、以下の効果を奏することができる。
（５）カメラ１３８が撮影した識別情報に基づいて計測対象を特定することができる。そして、特定した計測対象に合わせた情報に書き換えることができる。このため、特定した計測対象に合わせて計測装置１００を調整または変更することができる。
【００７３】
（第５の実施形態）
以下、図１０を参照して、計測装置及び計測システムの第５の実施形態について説明する。第５の実施形態の計測装置及び計測システムは、位置に基づいてサーバ側で計測対象を特定する点で第３の実施形態と異なっている。以下、第３の実施形態との相違点を中心に説明する。
【００７４】
図１０に示されるように、計測装置１００の携帯端末１３０は、携帯端末１３０の位置を測定するＧＰＳ受信機１３７を備えている。計測アプリ１４０を作動させると、制御部１３１が第２の実施形態の各処理部に加えて、計測対象の特定を指示する特定指示部１４９としても機能する。
【００７５】
データベースサーバ１５０は、計測対象を特定する特定部１５２を備えている。なお、特定部１５２がサーバ側特定部に相当する。また、データベースサーバ１５０のデータベース１５１には、計測対象リストが記憶されている。計測対象リストは、位置と、計測対象である機械とが対になった情報である。計測対象リストの機械の情報には、その機械に使われている潤滑油の情報も紐付いている。
【００７６】
計測対象である機械に使用されている潤滑油が不明であるときに、計測アプリ１４０において計測対象を特定する特定処理を実行する。特定処理が実行されると、特定指示部１４９は、ＧＰＳ受信機１３７から位置情報を取得して、携帯電話通信部１３４から外部ネットワークＮＷを介してデータベースサーバ１５０に計測対象の特定を指示するとともに、携帯端末１３０の位置情報を送信する。
【００７７】
データベースサーバ１５０の特定部１５２は、計測対象の特定が指示されると、データベース１５１に記憶された計測対象リストに基づいて、取得した位置に存在する機械及びその機械に使われている潤滑油を特定する。そして、データベースサーバ１５０の特定部１５２は、特定した計測対象である機械及びその機械に使われている潤滑油の特定情報を、外部ネットワークＮＷを介して携帯端末１３０に送信する。携帯端末１３０は、特定情報をセンサ端末１１０に送信する。センサ端末１１０の計測部１２１は、データベースサーバ１５０の特定部１５２から送信された特定情報に基づいて計測対象の状態を計測する。
【００７８】
このように、機械及び潤滑油をデータベースサーバ１５０の特定部１５２が特定することで、センサ端末１１０の計測部１２１は、潤滑油に合った判定アルゴリズムによって計測することができ、また機械及び潤滑油に合った判定閾値によって判定することができる。
【００７９】
以上説明したように、第５の実施形態によれば、第１の実施形態の効果に加え、以下の効果を奏することができる。
（６）計測装置１００の位置をＧＰＳ受信機１３７によって特定することができるので、計測装置１００の位置と同じ位置にある計測対象をデータベースサーバ１５０の特定部１５２によって特定することができ、計測装置１００における処理を軽減することができる。そして、特定した計測対象に合わせた判定情報に書き換えることができる。このため、特定した計測対象に合わせて計測装置１００を調整または変更することができる。
【００８０】
（第６の実施形態）
以下、図１１を参照して、計測装置及び計測システムの第６の実施形態について説明する。第６の実施形態の計測装置及び計測システムは、画像データに基づいてサーバ側で計測対象を特定する点で第４の実施形態と異なっている。以下、第４の実施形態との相違点を中心に説明する。
【００８１】
図１１に示されるように、計測装置１００の携帯端末１３０は、カメラ１３８を備えている。計測アプリ１４０を作動させると、制御部１３１は、第２の実施形態の各処理部に加えて、計測対象の特定を指示する特定指示部１４９としても機能する。
【００８２】
データベースサーバ１５０は、計測対象を特定する特定部１５２と、特定指示部１４９の処理に伴って、カメラ１３８が撮影した画像データに対して、計測対象を特定可能とするための画像処理を行う画像処理部１５３とを備えている。なお、特定部１５２がサーバ側特定部に相当する。また、データベースサーバ１５０のデータベース１５１には、計測対象リストが記憶されている。計測対象リストは、画像データと、計測対象である機械とが対になった情報である。計測対象リストの機械の情報には、その機械に使われている潤滑油の情報も紐付いている。
【００８３】
計測対象である機械に使用されている潤滑油が不明であるときに、計測アプリ１４０において計測対象を特定する特定処理を実行する。特定処理が実行されると、特定指示部１４９は、カメラ１３８が撮影した画像データを取得して、携帯電話通信部１３４から外部ネットワークＮＷを介してデータベースサーバ１５０に計測対象の特定を指示するとともに、画像データを送信する。
【００８４】
データベースサーバ１５０の特定部１５２は、計測対象の特定が指示されると、データベース１５１に記憶された計測対象リストに基づいて、取得した画像データと一致する機械及びその機械に使われている潤滑油を特定する。そして、データベースサーバ１５０の特定部１５２は、特定した計測対象である機械及びその機械に使われている潤滑油の特定情報を、外部ネットワークＮＷを介して携帯端末１３０に送信する。携帯端末１３０は、特定情報をセンサ端末１１０に送信する。センサ端末１１０の計測部１２１は、データベースサーバ１５０の特定部１５２から送信された特定情報に基づいて計測対象の状態を計測する。
【００８５】
このように、機械及び潤滑油をデータベースサーバ１５０の特定部１５２が特定することで、センサ端末１１０の計測部１２１は、潤滑油に合った判定アルゴリズムによって計測することができ、また機械及び潤滑油に合った判定閾値によって判定することができる。
【００８６】
以上説明したように、第６の実施形態によれば、第１の実施形態の効果に加え、以下の効果を奏することができる。
（７）カメラ１３８が撮影した識別情報に基づいて計測対象をデータベースサーバ１５０の特定部１５２によって特定することができ、計測装置１００における処理を軽減することができる。そして、特定した計測対象に合わせた情報に書き換えることができる。このため、特定した計測対象に合わせて計測装置１００を調整または変更することができる。
【００８７】
（第７の実施形態）
以下、図１２を参照して、計測装置及び計測システムの第７の実施形態について説明する。第７の実施形態の計測装置は、センサが携帯端末に直接接続されている点で第２の実施形態と異なっている。以下、第２の実施形態との相違点を中心に説明する。
【００８８】
図１２に示されるように、計測装置１８０は、センサ１６１を有するセンサ部１６０と、ユーザが携帯する携帯端末１３０とを備えている。センサ部１６０と携帯端末１３０とは有線によって接続されている。センサ部１６０は、センサ１６１と、センサ１６１から受信したセンサ信号を変換するデジタル−アナログ変換回路（Ａ／Ｄ）１６２とを備えている。
【００８９】
携帯端末１３０は、第２の実施形態と同様に、制御部１３１と、タッチパネル１３３と、携帯電話通信部１３４とを備えている。制御部１３１及び携帯電話通信部１３４には、電池１３６が接続され、電池１３６から電源が供給されている。また、センサ部１６０のセンサ１６１には、携帯端末１３０の電池１３６から電源が供給されている。
【００９０】
制御部１３１には、計測対象の計測に用いる計測アプリ１７０がメモリ１３２に記憶されている。ユーザがタッチパネル１３３を操作して計測アプリ１７０を作動させると、制御部１３１は、計測部１７１、表示部１７２、取得部１７４、及び書換部１７５として機能する。
【００９１】
計測部１７１は、センサ１６１から受信したセンサ信号を計測値に変換し、この計測値を判定し、計測値及び判定結果を含む計測情報を出力する。表示部１７２は、計測部１７１が計測した計測情報をタッチパネル１３３に表示させる。記憶部１７３は、計測部１７１が計測した計測情報をメモリ１３２に記憶させる。取得部１７４は、外部ネットワークＮＷを介してデータベースサーバ１５０から提供される判定情報である判定アルゴリズム及び判定閾値を取得する。書換部１７５は、取得部１７４が取得した判定情報でプログラム又はパラメータを書き換える。
【００９２】
次に、上記のように構成された計測装置１８０及び計測システムの動作について説明する。
まず、計測装置１８０が計測対象の状態を計測するときの動作について説明する。
【００９３】
ユーザが携帯端末１３０を操作して計測アプリ１７０を作動させ、計測の開始を指示または選択すると、計測部１７１がセンサ１６１の電源をオン状態にして、センサ１６１によって計測対象の状態を計測する。センサ１６１は、計測対象の状態に応じたセンサ信号を携帯端末１３０に出力する。続いて、計測部１７１は、受信したセンサ信号を計測値に変換し、この計測値を判定し、計測値及び判定結果を含む計測情報を取得する。続いて、携帯端末１３０の表示部１７２は、取得した計測情報をタッチパネル１３３に表示する。また、携帯端末１３０の記憶部１７３は、取得した計測情報をメモリ１３２に記憶する。
【００９４】
次に、計測装置１８０が判定情報を書き換えるときの動作について説明する。ここでは、計測装置１８０は、外部ネットワークＮＷを介して判定情報を取得する。
ユーザが携帯端末１３０を操作して判定情報の書き換えを指示または選択すると、書換リクエスト信号が計測アプリ１７０の取得部１７４によって外部ネットワークＮＷを介してデータベースサーバ１５０に送信される。続いて、データベースサーバ１５０は、データベース１５１から判定情報を読み出して、外部ネットワークＮＷを介して携帯端末１３０に送信する。続いて、携帯端末１３０の取得部１７４は、データベースサーバ１５０から送信された判定情報を取得する。続いて、携帯端末１３０の書換部１７５は、取得した判定情報で予め設定されている判定情報を書き換える。すなわち、携帯端末１３０の書換部１７５は、携帯端末１３０に対するユーザの操作によって変更したい判定情報を書き換える。
【００９５】
このように、計測装置１８０は、外部ネットワークＮＷを介してデータベースサーバ１５０から判定情報を取得することで携帯端末１３０の判定情報を書き換えることができるので、計測対象に合わせた計測を行うことができる。また、計測装置１８０は、携帯端末１３０を操作して、計測アプリ１７０を作動させることで、センサ１６１を直接制御して、計測対象の状態を計測することができる。
【００９６】
以上説明したように、第７の実施形態によれば、第１の実施形態の効果に加え、以下の効果を奏することができる。
（８）携帯端末１３０とセンサ部１６０とが直接接続されることで計測装置１８０としているので、計測アプリ１７０を有する携帯端末１３０と、センサ部１６０とがあれば、計測対象の状態を計測することができる。また、携帯端末１３０に対する操作によって、計測対象に合わせて判定情報を書き換えることができるので、計測対象に合わせて計測装置１８０を調整または変更することができる。
【００９７】
（第８の実施形態）
以下、図１３を参照して、計測装置及び計測システムの第８の実施形態について説明する。第８の実施形態は、外部ネットワーク上に存在するサーバが計測値を管理、表示、分析等を行い、サーバにアクセスすることで計測情報を確認することができる点で第１の実施形態と異なっている。以下、第１の実施形態との相違点を中心に説明する。
【００９８】
図１３に示されるように、計測装置１９０は、計測対象の状態を検出するセンサ１９１と、計測部１９２と、計測部１９２に接続されるゲートウェイ１９３とを備えている。計測部１９２は、センサ１９１から受信したセンサ信号を計測値に変換し、この計測値を判定し、計測値及び判定結果を含む計測情報をゲートウェイ１９３に出力する。ゲートウェイ１９３は、計測部１９２が出力した計測情報を、外部ネットワークＮＷを介してデータベースサーバ２００に送信する。なお、ゲートウェイ１９３が通信部として機能する。
【００９９】
外部ネットワークＮＷ上には、計測装置１９０が計測した計測値を蓄積するデータベースサーバ２００と、このデータベースサーバ２００のデータベース２０１に蓄積された計測値を元にした情報を提供するＷｅｂサーバ２０２とが設置されている。Ｗｅｂサーバ２０２は、ウェブブラウザに対してＨＴＭＬや画像を提供する。Ｗｅｂサーバ２０２は、計測対象の計測情報を管理する管理画面Ｐ１、計測値を表示する表示画面Ｐ２、計測値を分析した分析画面Ｐ３等を提供する。管理画面Ｐ１は、計測対象の計測を設定する画面である。表示画面Ｐ２は、計測値の経時変化等を表示した画面である。分析画面Ｐ３は、計測値に対して分析を行い、分析した情報が表示された画面である。これら各種画面は、データベースサーバ２００から得た計測値を使って生成される。
【０１００】
ユーザは、携帯端末２１０を用いて、Ｗｅｂサーバ２０２にアクセスすることで、計測対象の状態等を確認することができる。携帯端末２１０は、表示装置として機能するだけであって、計測情報を処理する必要がない。なお、計測システムは、計測装置１９０と、データベースサーバ２００と、Ｗｅｂサーバ２０２と、携帯端末２１０とを備えている。
【０１０１】
また、携帯端末２１０からＷｅｂサーバ２０２にアクセスして、管理画面Ｐ１上において判定情報の書き換えを指示すると、外部ネットワークＮＷを介して計測装置１９０の計測部１９２の判定情報を書き換えることができる。
【０１０２】
以上説明したように、第８の実施形態によれば、第１の実施形態の効果に加え、以下の効果を奏することができる。
（９）計測装置１９０が計測した計測値が外部ネットワークＮＷを介して接続されたデータベースサーバ２００に蓄積される。そして、データベースサーバ２００に蓄積された計測値をＷｅｂサーバ２０２が分析して、分析した情報がユーザに提供される。このため、ユーザはＷｅｂサーバ２０２から提供された分析情報を確認することで計測値の変化等を把握することができるようになる。
【０１０３】
実施形態は以下のように適宜変更することができる。
・第１の実施形態では、データベースサーバ５０から一方的に計測装置１０に複数の判定アルゴリズム及び判定閾値を含む情報を送信するようにした。しかしながら、計測装置１０からの要求を受けてから、計測装置１０にデータベースサーバ５０から複数の判定アルゴリズム及び判定閾値を含む情報を送信してもよい。
【０１０４】
・第１〜６の実施形態において、センサを傾けたときに計測装置の主電源がオンになるようにしてもよい。例えば、センサに加速度センサを備えて、センサが下向きになったときに計測装置の主電源をオンとする。このようにすれば、計測装置の電池の使用量を低減することができる。
【０１０５】
・第２〜６の実施形態において、携帯端末１３０とセンサ端末１１０とが接続されたときに携帯端末１３０の計測アプリ１４０を自動で起動させてもよい。また、センサ端末１１０が携帯端末１３０を載せるだけで接続することができるクレードルを備えて、携帯端末１３０がセンサ端末１１０のクレードルに載せられることで接続されたときに携帯端末１３０のアプリケーションを自動で起動させてもよい。
【０１０６】
・第２〜７の実施形態では、携帯端末１３０の計測アプリ１４０を作動させて、計測対象の状態を計測したが、アプリケーションに限らず、制御部１３１に予め設定されたプログラムによって計測対象の状態を計測してもよい。
【０１０７】
・第３，５の実施形態において、計測対象が建設機械であって、建設機械が位置情報を送信する機能を有する場合には、建設機械の位置情報を計測対象リストに反映させて、計測対象を正確に特定するようにしてもよい。
【０１０８】
・第４，６の実施形態では、携帯端末１３０に備えたカメラ１３８で撮影した画像データから計測対象を特定したが、計測対象が音を出す機械等であるときには、携帯端末１３０に備えたマイクが取得した音から計測対象を特定してもよい。
【０１０９】
・第７の実施形態では、携帯端末１３０とセンサ部１６０とを有線によって接続したが、携帯端末１３０とセンサ部１６０とを無線によって接続してもよい。この場合には、携帯端末１３０とセンサ部１６０とにそれぞれ無線通信部を設ける必要がある。
【０１１０】
・第２〜８の実施形態では、手持ち可能な携帯電話を携帯端末１３０，２１０としたが、携帯可能で通信機能を備えた携帯端末であれば、腕時計形や眼鏡形等のウェラブルデバイス、パソコン、タブレット等を携帯端末としてもよい。
【０１１１】
・各実施形態では、計測対象は機械であり、計測装置は当該機械に使用される潤滑油を光学式センサで計測するが、潤滑油に限らず、種々の計測対象に計測装置及び計測システムを適用可能である。例えば、水分センサを備えた計測装置であってもよい。
【０１１２】
・前述した実施形態の計測装置は、少なくとも一つのメモリと、当該メモリにアクセス可能な一または複数のプロセッサとを含む制御部を備えることができる。メモリは、制御部の一または複数のプロセッサが実行可能なコンピュータ実行可能命令を含むことができる。コンピュータ実行可能命令を制御部の一または複数のプロセッサが実行したときに、前述した実施形態で説明した機能、方法、または構成が実現される場合がある。いくつかの例では、メモリは、計測プログラムと、複数のパラメータを含むパラメータセットと、書換プログラムとを格納している。計測プログラムは、プロセッサによって実行されたときに計測部を実現するように構成された一連のプログラムコードを含む。書換プログラムは、プロセッサによって実行されたときに書換部を実現するように構成された一連のプログラムコードを含む。したがって、計測プログラムに含まれる少なくとも一つのプログラムコード及びパラメータセットに含まれる少なくとも一つのパラメータのうちの一方または両方が計測装置のプロセッサによって書換えられる。
【０１１３】
本発明は、前述した実施形態で説明した機能、方法、または構成を実現するように構成されたコンピュータ実行可能命令を格納したコンピュータ読取可能記録媒体（非一時的媒体ともいう）を含む。当該コンピュータ可読媒体は、一または複数のコンピュータプロセッサがアクセスできる任意の媒体であってよく、例えば、ＲＡＭ、ＲＯＭ、ＥＥＰＲＯＭ、ＣＤ−ＲＯＭまたは他の光ディスクストレージ、磁気ディスクストレージまたは他の磁気記憶装置、及びそれらの任意の組合わせを含むことができる。
【０１１４】
次に、上記実施形態から把握できる技術的思想をその効果と共に記載する。
（付記１）計測対象の状態を計測して出力するセンサ端末と、前記センサ端末から出力された値を取得して計測対象の状態をユーザに提供する携帯端末とを備える計測装置であって、前記センサ端末は、計測対象の状態を計測するセンサと、前記センサから受信したセンサ信号を計測値に変換する計測部と、前記計測値を出力する第１通信部とを備え、前記携帯端末は、前記第１通信部と通信する第２通信部と、前記センサ端末から出力された計測値を取得する取得部と、前記取得部によって取得された計測対象の計測情報をユーザに提供する提供部とを備える計測装置。
【０１１５】
上記構成によれば、センサが検出した計測対象の計測情報を携帯端末に提供することで、携帯端末を用いてユーザが確認することができる。
（付記２）計測対象の状態を計測するための計測装置であって、計測対象の状態に応じたセンサ信号を生成するセンサに有線でまたは無線で接続可能に構成された制御部と、外部ネットワークに無線で接続するように構成された無線通信回路と、ユーザインターフェースとを備え、前記制御部は、計測プログラムと、複数のパラメータを含むパラメータセットと、書換プログラムとを格納している１つ以上のメモリと、前記１つ以上のメモリにアクセス可能な１つ以上のプロセッサとを含み、前記１つ以上のプロセッサは、前記ユーザインターフェースがユーザによる計測指示を検出したときに、前記計測プログラムを実行し、前記計測プログラムの一連のコンピュータ実行可能命令、前記複数のパラメータのセット、前記センサからの前記センサ信号に従って計測結果を生成し、当該計測結果を前記ユーザインターフェースに提供し、前記外部ネットワーク及び前記無線通信回路を介して受信した変更用または追加用デジタルデータを、前記１つ以上のメモリに記憶させ、前記ユーザインターフェースがユーザによる書換指示を検出したときに、前記書換プログラムを実行して、前記変更用または追加用デジタルデータで前記計測プログラムの少なくとも一つのプログラムコード及び前記パラメータセットの少なくとも一つのパラメータのうちの一方または両方を書換えるように構成されている、計測装置。
【０１１６】
この計測装置によれば、ユーザは計測装置をオンサイトで調整または変更することができる。
（付記３）前記センサを含むセンサ端末と、前記ユーザインターフェースを含むとともに、前記センサ端末と無線でまたは有線で通信可能に構成された、携帯端末とを備え、前記１つ以上のプロセッサは、前記センサ端末及び前記携帯端末の一方に集中的にまたは前記センサ端末及び前記携帯端末の両方に分散的に設けられている付記２に記載の計測装置。
【０１１７】
この計測装置によれば、ユーザはセンサ端末に応じて計測装置をオンサイトで調整または変更することができる。
（付記４）前記無線通信回路は、前記携帯端末が携帯電話回線網に無線で接続できるように前記携帯端末に設けられており、前記携帯端末の前記ユーザインターフェースはタッチパネルを含む付記３に記載の計測装置。
【０１１８】
この計測装置によれば、ユーザは、スマートフォン等の、タッチパネルを有する携帯電話端末を操作して、計測対象の状態を計測することができる。
本発明の主題は、上記した特定の実施形態の全ての特徴より少ない特徴に存在する可能性がある。本発明の範囲は、請求の範囲および等価物の全範囲と共に確定されるべきである。
【符号の説明】
【０１１９】
１０…計測装置、１１…センサ、１２…制御部、１３…通信部、２１…計測部、２２…取得部、２３…書換部、２４…メモリ、５０…データベースサーバ、５１…データベース、１００…計測装置、１１０…センサ端末、１１１…センサ、１１２…ＭＣＵ、１１３…Ｂｌｕｅｔｏｏｔｈ通信部、１１４…電池、１１５…アナログ−デジタル変換回路（Ａ／Ｄ）、１２１…計測部、１２２…取得部、１２３…書換部、１２４…メモリ、１３０…携帯端末、１３１…制御部、１３２…メモリ、１３３…タッチパネル、１３４…携帯電話通信部、１３５…Ｂｌｕｅｔｏｏｔｈ通信部、１３６…電池、１３７…ＧＰＳ受信機、１３８…カメラ、１４０…計測アプリ、１４１…計測情報取得部、１４２…計測情報表示部、１４３…計測情報記憶部、１４４…書換指示部、１４５…判定情報取得部、１４６…判定情報提供部、１４７…特定部、１４８…画像処理部、１４９…特定指示部、１５０…データベースサーバ、１５１…データベース、１５２…特定部、１５３…画像処理部、１６０…センサ部、１６１…センサ、１６２…Ａ／Ｄ、１７０…計測アプリ、１７１…計測部、１７２…表示部、１７３…記憶部、１７４…取得部、１７５…書換部、１８０…計測装置、１９０…計測装置、１９１…センサ、１９２…計測部、１９３…ゲートウェイ、２００…データベースサーバ、２０１…データベース、２０２…Ｗｅｂサーバ、２１０…携帯端末、ＮＷ…外部ネットワーク、Ｐ１…管理画面、Ｐ２…表示画面、Ｐ３…分析画面、ＳＢ…ステータスバー。
【図１】
0006484698.tif 000002
【図２】
0006484698.tif 000003
【図３】
0006484698.tif 000004
【図４】
0006484698.tif 000005
【図５】
0006484698.tif 000006
【図６】
0006484698.tif 000007
【図７】
0006484698.tif 000008
【図８】
0006484698.tif 000009
【図９】
0006484698.tif 000010
【図１０】
0006484698.tif 000011
【図１１】
0006484698.tif 000012
【図１２】
0006484698.tif 000013
【図１３】
0006484698.tif 000014